(57)【要約】【課題】ネットワークに接続されるブロードバンドルータのＩＳＰ接続情報の設定を、簡単且つ迅速に行うネットワーク通信システムおよびその設定方法を提供する。【解決手段】それぞれネットワークに接続されるＩＳＰ接続管理部１２ｂを含む複数のブロードバンドルータよりなるブロードバンドルータ１２のＩＳＰ接続情報の設定を、設定方法管理部１４ａを含むブロードバンドルータ管理サーバ１４、これに接続され接続情報制御部１３ａを含むＩＳＰ設定サーバ１３、無線ＬＡＮ通信機能を有する携帯電話１１によりネットワーク通信システム１０を構成する。携帯電話１１は、ブロードバンドルータ１２との無線ＬＡＮ接続の後に、ＩＳＰ設定サーバ１３から携帯電話網通信部１１ａを介してＩＳＰ接続情報を取得し、無線ＬＡＮ通信部１１ｂおよび１２ａを介してブロードバンドルータ１２の設定を行う。【選択図】図１
2007243365.tif 000002
【特許請求の範囲】
【請求項１】
ネットワークに接続されるＩＳＰ（インターネットサービスプロバイダ）接続管理部を含むブロードバンドルータの接続情報の設定を行うネットワーク通信システムにおいて、
設定方法管理部を含むブロードバンドルータ管理サーバと、該ブロードバンドルータ管理サーバに接続され、接続情報制御部を含むＩＳＰ設定サーバと、該ＩＳＰ設定サーバに接続された携帯電話網通信部、前記ブロードバンドルータに無線で接続される無線ＬＡＮ通信部および自動設定制御部を含む無線ＬＡＮ通信が可能な携帯電話とを備え、
該携帯電話により携帯電話網を介して前記ＩＳＰ設定サーバからＩＳＰ接続情報を取得して、該取得したＩＳＰ接続情報を前記無線ＬＡＮ通信部経由で前記ブロードバンドルータに設定することを特徴とするネットワーク通信システム。
【請求項２】
前記ブロードバンドルータ管理サーバは、前記ブロードバンドルータ毎にＩＳＰ接続情報を書き込む権利を証明する証明書を保持する権利情報管理部を備え、前記ブロードバンドルータは、前記証明書が自己のブロードバンドルータへのＩＳＰ書き込み権であるか否かを検証する権利情報検証部を備えることを特徴とする請求項１に記載のネットワーク通信システム。
【請求項３】
前記ブロードバンドルータ管理サーバは、前記ＩＳＰ接続情報を暗号化する暗号化部を備え、前記ブロードバンドルータは、前記暗号化部で暗号化されたＩＳＰ接続情報を復号する復号部を備えることを特徴とする請求項１に記載のネットワーク通信システム。
【請求項４】
前記暗号化部は、前記ブロードバンドルータの種別情報および個体識別番号で特定される暗号鍵により前記ＩＳＰ接続情報を暗号化することを特徴とする請求項３に記載のネットワーク通信システム。
【請求項５】
それぞれＩＳＰ接続管理部を含む複数のブロードバンドルータよりなるブロードバンドルータのＩＳＰ接続情報を設定するネットワーク通信システムの設定方法において、
無線ＬＡＮ通信が可能な携帯電話により前記ブロードバンドルータと無線ＬＡＮ接続を行いＩＳＰ接続情報の設定の有無を判断する無線ＬＡＮ接続ステップと、
該無線ＬＡＮ接続ステップの後に、前記携帯電話によりＩＳＰ接続サーバから携帯電話網を介してＩＳＰ接続情報を取得するＩＳＰ接続情報取得ステップと、
該ＩＳＰ接続情報取得ステップにより取得したＩＳＰ接続情報で前記ブロードバンドルータの前記ＩＳＰ接続管理部のＩＳＰ接続情報を無線ＬＡＮ通信により設定するＩＳＰ接続情報設定ステップと、
を備えることを特徴とするネットワーク通信システムの設定方法。
【請求項６】
前記ＩＳＰ接続情報取得ステップは、前記ＩＳＰ設定サーバへのＩＳＰ接続情報取得要求ステップと、前記ＩＳＰ設定サーバから設定方法を管理するブロードバンドルータ管理サーバへの設定方法取得要求ステップとよりなることを特徴とする請求項５に記載のネットワーク通信システムの設定方法。
【請求項７】
前記ＩＳＰ接続情報取得要求ステップでは、前記携帯電話のユーザのＩＳＰ会員情報と前記ブロードバンドルータの種別情報および識別番号を通知することを特徴とする請求項６に記載のネットワーク通信システムの設定方法。
【請求項８】
前記設定方法取得要求ステップでは、前記識別番号に基づき前記ブロードバンドルータへのＩＳＰ接続情報の書き込み権利証明書を取り出すことを特徴とする請求項７に記載のネットワーク通信システムの設定方法。
【請求項９】
前記ＩＳＰ接続情報取得要求ステップにより前記ＩＳＰ接続情報取得要求を受けると、設定情報を暗号化するＩＳＰ接続情報暗号化ステップと、前記暗号化されたＩＳＰ接続情報を前記ブロードバンドルータで復号化する復号化ステップとを備えることを特徴とする請求項６又は７に記載のネットワーク通信システムの設定方法。
【発明の詳細な説明】
【技術分野】
【０００１】
本発明はネットワーク通信システムおよびその設定方法に関し、特にネットワーク間のパケット中継を行うブロードバンドルータおよびその設定方法に関する。
【背景技術】
【０００２】
近年インターネット等のネットワーク通信が普及している。インターネット接続は、インターネットサービスプロバイダ（以下、ＩＳＰという）と契約して行うのが一般的であり、ネットワーク間のパケット中継を行うためにルータ（ブロードバンドルータ）が使用される。従来のブロードバンドルータでは、ＩＳＰ接続情報の設定をユーザが行っている。
【０００３】
ユーザは、加入しているＩＳＰに対する接続情報を入手し、ブロードバンドルータの種別毎に異なる設定方法で設定しなければならない。しかし、加入（又は契約）しているＩＳＰやユーザの居住地等によって設定値が異なるので、ブロードバンドルータに予め初期設定をしておくことは極めて困難である。また、ブロードバンドルータの機種毎に設定方法が異なるので、ＩＳＰが電話サービス等で対応することも容易ではない。
【０００４】
ブロードバンドルータのＩＳＰ接続情報の設定を自動的に行う試みがなされており、具体例が開示されている（例えば、特許文献１、特許文献２および特許文献３参照。）。特許文献１は、ルータ等の通信装置に初期設定アドレスを予め設定する必要がなく、インターネット等のＷＡＮ（Wide Area Network）経由での通信装置のインストールを行うことができる通信装置のリモートインストール方法を開示している。また、特許文献２は、ブロードバンドルータを新たに接続したときでも、インターネット等のネットワークを経由することなく、回線終端装置に格納された接続情報を受け取ることにより、自動的に接続情報の設定を可能にするブロードバンドルータの自動設定システムおよび方法を開示している。更に、特許文献３は、携帯端末を使用することにより、ルータの使用者に手間をかけることなく且つルータとインターネットから構成されるネットワークとは別の構成要素である携帯電話機を使用することにより、ルータのネットワーク設定を可能にするネットワーク設定システムを開示している。
【０００５】
【特許文献１】特開２０００−６９０８０号公報（第３頁、第１図）
【特許文献２】特開２００５−２５２９０５号公報（第５−６頁、第２図）
【特許文献３】特開２００５−２３６３９８号公報（第５−８頁、第１図）
【発明の開示】
【発明が解決しようとする課題】
【０００６】
上述の如き従来技術には、幾つかの解決すべき課題を有する。先ず、特許文献１の通信装置のリモートインストール方法では、インターネット等のＷＡＮ経由でインストールするため、使用回線速度を初期設定しておく必要ある。また、特許文献２のブロードバンドルータの自動設定システムおよび方法では、回線終端装置がコンピュータとＩＳＰとの間でやり取りされるパケットをモニタできる構成であるとの前提条件が必要である。更に、特許文献３のネットワーク設定システムでは、予め指定又は登録された携帯電話機以外の携帯電話機により設定又は設定変更される虞がある。
【０００７】
本発明は、従来技術の上述した課題に鑑みなされたものであり、斯かる課題を解決又は軽減可能なネットワーク通信システムおよびその設定方法を提供することを目的とする。
【課題を解決するための手段】
【０００８】
前述の課題を解決するため、本発明によるネットワーク通信システムおよびその設定方法は次のような特徴的な構成を採用している。
【０００９】
（１）ネットワークに接続されるＩＳＰ（インターネットサービスプロバイダ）接続管理部を含むブロードバンドルータの接続情報の設定を行うネットワーク通信システムにおいて、
設定方法管理部を含むブロードバンドルータ管理サーバと、該ブロードバンドルータ管理サーバに接続され、接続情報制御部を含むＩＳＰ設定サーバと、該ＩＳＰ設定サーバに接続された携帯電話網通信部、前記ブロードバンドルータに無線で接続される無線ＬＡＮ通信部および自動設定制御部を含む無線ＬＡＮ通信が可能な携帯電話とを備え、
該携帯電話により携帯電話網を介して前記ＩＳＰ設定サーバからＩＳＰ接続情報を取得して、該取得したＩＳＰ接続情報を前記無線ＬＡＮ通信部経由で前記ブロードバンドルータに設定するネットワーク通信システム。
（２）前記ブロードバンドルータ管理サーバは、前記ブロードバンドルータ毎にＩＳＰ接続情報を書き込む権利を証明する証明書を保持する権利情報管理部を備え、前記ブロードバンドルータは、前記証明書が自己のブロードバンドルータへのＩＳＰ書き込み権であるか否かを検証する権利情報検証部を備える上記（１）のネットワーク通信システム。
（３）前記ブロードバンドルータ管理サーバは、前記ＩＳＰ接続情報を暗号化する暗号化部を備え、前記ブロードバンドルータは、前記暗号化部で暗号化されたＩＳＰ接続情報を復号する復号部を備える上記（１）のネットワーク通信システム。
（４）前記暗号化部は、前記ブロードバンドルータの種別情報および個体識別番号で特定される暗号鍵により前記ＩＳＰ接続情報を暗号化する上記（３）のネットワーク通信システム。
（５）それぞれＩＳＰ接続管理部を含む複数のブロードバンドルータよりなるブロードバンドルータのＩＳＰ接続情報を設定するネットワーク通信システムの設定方法において、
無線ＬＡＮ通信が可能な携帯電話により前記ブロードバンドルータと無線ＬＡＮ接続を行いＩＳＰ接続情報の設定の有無を判断する無線ＬＡＮ接続ステップと、
該無線ＬＡＮ接続ステップの後に、前記携帯電話によりＩＳＰ接続サーバから携帯電話網を介してＩＳＰ接続情報を取得するＩＳＰ接続情報取得ステップと、
該ＩＳＰ接続情報取得ステップにより取得したＩＳＰ接続情報で前記ブロードバンドルータの前記ＩＳＰ接続管理部のＩＳＰ接続情報を無線ＬＡＮ通信により設定するＩＳＰ接続情報設定ステップと、
を備えるネットワーク通信システムの設定方法。
（６）ＩＳＰ接続情報取得ステップは、前記ＩＳＰ設定サーバへのＩＳＰ接続情報取得要求ステップと、前記ＩＳＰ設定サーバから設定方法を管理するブロードバンドルータ管理サーバへの設定方法取得要求ステップとよりなる上記（５）のネットワーク通信システムの設定方法。
（７）前記ＩＳＰ接続情報取得要求ステップでは、前記携帯電話のユーザのＩＳＰ会員情報と前記ブロードバンドルータの種別情報および識別番号を通知する上記（６）のネットワーク通信システムの設定方法。
（８）前記設定方法取得要求ステップでは、前記識別番号に基づき前記ブロードバンドルータへのＩＳＰ接続情報の書き込み権利証明書を取り出す上記（７）のネットワーク通信システムの設定方法。
（９）前記ＩＳＰ接続情報取得要求ステップにより前記ＩＳＰ接続情報取得要求を受けると、設定情報を暗号化するＩＳＰ接続情報暗号化ステップと、前記暗号化されたＩＳＰ接続情報を前記ブロードバンドルータで復号化する復号化ステップとを備える上記（６）又は（７）のネットワーク通信システムの設定方法。
【発明の効果】
【００１０】
本発明のネットワーク通信システムおよびその設定方法によると、次の如き実用上の顕著な効果が得られる。即ち、無線ＬＡＮ通信が可能な携帯電話により携帯電話通信網を介してＩＳＰ情報を入手して、無線ＬＡＮ通信でブロードバンドルータを容易且つ迅速に設定可能である。また、携帯電話のみから設定可能に構成でき、しかも携帯電話の署名も付加されることにより、他の携帯電話から設定される虞を排除である。更に、暗号化技法を採用することにより、外部から無断で無線ＬＡＮ設定を行い、鍵設定することを阻止可能である。
【発明を実施するための最良の形態】
【００１１】
以下、本発明によるネットワーク通信システムおよびその設定方法の好適実施形態について、添付図面を参照して詳細に説明する。
【００１２】
先ず、図１は、本発明によるネットワーク通信システムの第１実施形態の構成を示すブロック図である。このネットワーク通信システム１０は、携帯電話１１、ブロードバンドルータ１２、ＩＳＰ設定サーバ１３およびブロードバンドルータ管理サーバ１４により構成される。尚、ブロードバンドルータ１２は、（図中では便宜上１台のみを示すが）複数のブロードバンドルータを含んでいる。
【００１３】
携帯電話１１は、無線ＬＡＮ通信が可能な携帯電話であり、携帯電話網通信部１１ａ、無線ＬＡＮ通信部１１ｂおよび自動設定制御部１１ｃを有する。携帯電話網通信部１１ａは、ＩＳＰ設定サーバ１３に接続されている。無線ＬＡＮ通信部１１ｂは、ブロードバンドルータ１２に接続されている。
【００１４】
ブロードバンドルータ１２は、無線ＬＡＮ通信部１２ａおよびＩＳＰ接続管理部１２ｂを有する。ＩＳＰ接続管理部１２ｂは、無線ＬＡＮ通信部１２ａおよびネットワークに接続され、ＩＳＰ接続情報を管理すると共にＩＳＰへの接続機能を担う。
【００１５】
ＩＳＰ設定サーバ１３は、ブロードバンドルータ１２へのＩＳＰ接続情報を制御する接続情報制御部１３ａを有する。また、ブロードバンドルータ管理サーバ１４は、ＩＳＰ設定サーバ１３に接続され、ブロードバンドルータ１２への設定方法を管理する設定方法管理部１４ａを有する。
【００１６】
次に、図２のシーケンス図を参照して、図１に示す本発明のネットワーク通信システム１０の第１実施形態の動作を詳細に説明する。図２は、図１中の各構成要素である携帯電話１１、ブロードバンドルータ１２、ＩＳＰ設定サーバ１３およびブロードバンドルータ管理サーバ１４相互間の動作ステップを示す。
【００１７】
先ず、ネットワーク通信システム１０の携帯電話１１がブロードバンドルータ１２を通じてＩＳＰとネットワーク接続する場合について説明する。この場合には、ブロードバンドルータ１２と無線ＬＡＮ通信部１１ｂおよび１２ａを通して無線ＬＡＮ接続する（ステップＳ１）。
【００１８】
ブロードバンドルータ１２は、ＩＳＰ接続管理部１２ｂにＩＳＰ接続情報が設定されていない場合には、ブロードバンドルータ１２から、ＩＳＰ接続失敗応答を無線ＬＡＮ通信部１２ａ、１１ｂ経由で携帯電話１１に通知する（ステップＳ２）。ＩＳＰ接続失敗応答には、ブロードバンドルータ１２の種別情報を含める。
【００１９】
携帯電話１１の自動設定制御部１１ｃは、ＩＳＰ接続失敗応答でブロードバンドルータ１２にＩＳＰ接続情報が設定されていないことを知ると、ＩＳＰ設定サーバ１３に携帯電話網通信部１１ａを使って、ＩＳＰ接続情報取得要求を行う（ステップＳ３）。このＩＳＰ接続情報取得要求では、携帯電話１１のユーザのＩＳＰ会員情報およびブロードバンドルータ１２の種別情報を通知する。ＩＳＰ会員情報を得るための会員登録は、予め行っておいてもよいし、ここで会員登録およびブロードバンドルータ１２への設定を同時に行ってもよい。
【００２０】
次に、ＩＳＰ設定サーバ１３の接続情報制御部１３ａは、ステップＳ３で携帯電話１１からＩＳＰ接続情報取得要求を受けると、設定方法取得要求で、ブロードバンドルータ１２の種別情報をブロードバンドルータ管理サーバ１４へ通知する（ステップＳ４）。そこで、ブロードバンドルータ管理サーバ１４は、この設定方法取得要求を受けると、設定方法管理部１４ａが、ブロードバンドルータ１２の種別情報に基づいて種別毎の設定方法をＩＳＰ設定サーバ１３に応答する、即ち設定方法取得応答を行う（ステップＳ５）。
【００２１】
ＩＳＰ設定サーバ１３の接続情報制御部１３ａは、ステップＳ５の設定方法取得応答で得た設定方法に基づき、また、携帯電話１１からの接続情報取得要求（ステップＳ３）で通知されたＩＳＰ会員情報に対する適切なＩＳＰ接続情報を作成する。そして、作成されたＩＳＰ接続情報は、ＩＳＰ設定サーバ１３から携帯電話網通信部１１ａを介して、携帯電話１１の自動設定制御部１１ｃにＩＳＰ接続情報取得応答として返される（ステップＳ６）。
【００２２】
最後に、携帯電話１１の自動設定制御部１１ｃは、受け取ったＩＳＰ接続情報を携帯電話１１の無線ＬＡＮ通信部１１ｂおよびブロードバンドルータ１２の無線ＬＡＮ通信部１２ａを通介してブロードバンドルータ１２へ送り、ＩＳＰ接続情報設定を行う（ステップＳ７）。このＩＳＰ接続情報を受け取ったブロードバンドルータ１２は、ＩＳＰ接続管理部１２ｂにＩＳＰ接続情報を設定する。
【００２３】
上述の如く、携帯電話１１の携帯電話網通信部１１ａを使用する通信によりＩＳＰ接続情報を取得し、無線ＬＡＮ通信部１１ｂでブロードバンドルータ１２に設定する。従って、ネットワーク接続用の初期設定がなくても、ブロードバンドルータ１２にＩＳＰ接続情報を設定できる。また、ブロードバンドルータ１２の種別情報および携帯電話１１のユーザのＩＳＰ会員情報から、正しいＩＳＰ接続情報の設定値と設定方法により、ブロードバンドルータ１２への設定を行うことができる。
【００２４】
次に、図３のブロック図を参照して、本発明によるネットワーク通信システムの第２実施形態について詳細に説明する。図３に示す本発明によるネットワーク通信システム３０は、携帯電話３１、ブロードバンドルータ３２、ＩＳＰ設定サーバ３３およびブロードバンドルータ管理サーバ３４により構成される点で、図１に示すネットワーク通信システム１０と同様である。ブロードバンドルータ３２に権利情報検証部３２ｃが付加され、ブロードバンドルータ管理サーバ３４に権利情報管理部３４ｂが付加されている点を特徴とする。
【００２５】
ブロードバンドルータ管理サーバ３４の権利情報管理部３４ｂは、ＩＳＰ接続情報を書き込む権利を証明する証明書をブロードバンドルータ３２毎に所有する。また、ブロードバンドルータ３２の権利情報検証部３２ｃは、その証明書が自ブロードバンドルータ３０へのＩＳＰ接続情報の書き込み権であるか否かを検証する検証鍵を所有している。
【００２６】
次に、図２のシーケンス図を参照して、図３に示すネットワーク通信システム３０の動作を説明する。先ず、携帯電話３１がブロードバンドルータ３２を介してＩＳＰとネットワーク接続する場合には、ブロードバンドルータ３２と携帯電話３１の無線ＬＡＮ通信部３１ｂおよびブロードバンドルータ３２の無線ＬＡＮ通信部３２ａを介して無線ＬＡＮ接続する（ステップＳ１）。
【００２７】
ブロードバンドルータ３２は、ＩＳＰ接続管理部３２ｂにＩＳＰ接続情報が設定されていない場合には、ブロードバンドルータ３２から、ＩＳＰ接続失敗応答を無線ＬＡＮ通信部３２ａおよび３１ｂ経由で携帯電話３１に通知する(ステップＳ２)。ＩＳＰ接続失敗応答には、ブロードバンドルータ３２の種別情報およびブロードバンドルータ３２の個体識別番号を含める。
【００２８】
携帯電話３１の自動設定制御部３１ｃは、ＩＳＰ接続失敗応答でブロードバンドルータ３２にＩＳＰ接続情報が設定されていないことを知ると、ＩＳＰ設定サーバ３３に携帯電話網通信部３１ａを使用して、ＩＳＰ接続情報取得要求を行う（ステップＳ３）。このＩＳＰ接続情報取得要求では、携帯電話３１のユーザのＩＳＰ会員情報およびブロードバンドルータ３２の種別情報および個体識別番号を通知する。ＩＳＰ会員情報を得るための会員登録は、予め行っておいてもよいし、ここで会員登録とブロードバンドルータへの設定を同時に行ってもよい。
【００２９】
ＩＳＰ設定サーバ３３の接続情報制御部３３ａでは、上述したＩＳＰ接続情報取得要求を受けると、設定方法取得要求で、ブロードバンドルータ３２の種別情報および個体識別番号をブロードバンドルータ管理サーバ３４へ通知する（ステップＳ４）。
【００３０】
ブロードバンドルータ管理サーバ３４では、設定方法取得要求を受けると、設定方法管理部３４ａが、ブロードバンドルータ３２の種別情報に基づいて種別毎の設定方法をＩＳＰ設定サーバに応答する。また、権利情報管理部３４ｂが、ブロードバンドルータ３２の個体識別番号からブロードバンドルータ３２へのＩＳＰ接続情報の書き込み権利証明書を取り出し、ＩＳＰ設定サーバ３３に応答する、即ち設定方法取得応答する（ステップＳ５）。
【００３１】
ＩＳＰ設定サーバ３３の接続情報制御部３３ａは、設定方法取得応答で得た設定方法に基づき、また、携帯電話３１からの接続情報取得要求で通知されたＩＳＰ会員情報に対する適切なＩＳＰ接続情報を作成する。作成されたＩＳＰ接続情報および書き込み権利証明書は、ＩＳＰ設定サーバ３３から携帯電話網通信部３１ａを介して携帯電話３１の自動設定制御部３１ｃにＩＳＰ接続情報取得応答として返される（ステップＳ６）。
【００３２】
携帯電話３１の自動設定制御部３１ｃは、無線ＬＡＮ通信部３１ｂおよび３２ａを介してブロードバンドルータ３２に、ＩＳＰ接続情報設定（ステップＳ７）で、ＩＳＰ接続情報および書き込み権利証明書を送る。ＩＳＰ接続情報を受け取ったブロードバンドルータ３２は、権利情報検証部３２ｃで書き込み権利証明書を検証する。書き込み権があることが確認されると、ＩＳＰ接続管理部３２ｂにＩＳＰ接続情報を設定する。
【００３３】
このように、権利情報管理部３４ｂで管理される書き込み権利証明書を権利情報検証部３２ｃで検証した上で、ＩＳＰ接続管理部３２ｂに設定を行うことができるようにすることで、無線ＬＡＮ通信で接続した携帯電話３１のユーザ以外の第三者が勝手にブロードバンドルータ３２の設定を変更してしまうことを防止することが可能となる。
【００３４】
次に、図４を参照して本発明によるネットワーク通信システムの第３実施形態について詳細に説明する。図４は、本発明によるネットワーク通信システムの第３実施形態の構成を示すブロック図である。このネットワーク通信システム４０は、上述したネットワーク通信システム１０および３０と同様に、携帯電話４１、ブロードバンドルータ４２、ＩＳＰ設定サーバ４３およびブロードバンドルータ管理サーバ４４により構成される。しかし、このネットワーク通信システム４０は、ブロードバンドルータ４２に復号部４２ｃが付加され、ブロードバンドルータ管理サーバ４４に暗号化部４４ｂが付加されている点を特徴とする。
【００３５】
このネットワーク通信システム４０のブロードバンドルータ４２の復号部４２ｃは、ブロードバンドルータ４２の個体毎に異なる復号鍵を有する。また、ブロードバンドルータ管理サーバ４４は、管理対象の各ブロードバンドルータ４２の暗号鍵を有している。
【００３６】
次に、図５のシーケンス図を参照して、図４に示す本発明によるネットワーク通信システム４０の動作を説明する。先ず、携帯電話４１がブロードバンドルータ４２を通じてＩＳＰとネットワーク接続する場合には、ブロードバンドルータ４２と無線ＬＡＮ通信部４１ｂおよび４２ａを介して無線ＬＡＮ接続する（ステップＳ１１）。
【００３７】
ブロードバンドルータ４２は、ＩＳＰ接続管理部４２ｂにＩＳＰ接続情報が設定されていない場合には、ブロードバンドルータ４２からＩＳＰ接続失敗応答を、無線ＬＡＮ通信部４２ａおよび４１ｂ経由で携帯電話４１に通知する(ステップＳ１２)。ここで、ＩＳＰ接続失敗応答には、ブロードバンドルータ４２の種別情報およびブロードバンドルータ４２の個体識別番号を含める。
【００３８】
携帯電話４１の自動設定制御部４１ｃは、ＩＳＰ接続失敗応答でブロードバンドルータ４２にＩＳＰ接続情報が設定されていないことを知ると、ＩＳＰ設定サーバ４３に携帯電話網通信部４１ａを使用してＩＳＰ接続情報取得要求を行う（ステップＳ１３）。このＩＳＰ接続情報取得要求では、携帯電話４１のユーザのＩＳＰ会員情報、ブロードバンドルータ４２の種別情報および個体識別番号を通知する。ＩＳＰ会員情報を得るための会員登録は、予め行っておいてもよいし、ここで会員登録とブロードバンドルータ４２への設定を同時に行ってもよい。
【００３９】
ＩＳＰ設定サーバ４３の接続情報制御部４３ａでは、ＩＳＰ接続情報取得要求を受けると、ＩＳＰ会員情報に従ったブロードバンドルータ４２へ設定する情報を生成する。生成された設定情報をＩＳＰ接続情報暗号化要求（ステップＳ１４）で、ブロードバンドルータ４２の種別情報および個体識別番号と共に、ブロードバンドルータ管理サーバ４４へ送信する。
【００４０】
ブロードバンドルータ管理サーバ４４では、ＩＳＰ接続情報暗号化要求を受けると、設定方法管理部４４ａが、ブロードバンドルータ４２の種別情報に基づいて種別毎の設定方法を定める。そして、その設定方法に従ってブロードバンドルータ４２への設定情報からＩＳＰ接続情報を作成する。更に、暗号化部４４ｂで、ブロードバンドルータ４２の種別情報および個体識別番号で特定される暗号鍵によってＩＳＰ接続情報を暗号化し、暗号化されたＩＳＰ接続情報をＩＳＰ設定サーバ４３に応答する、即ちＩＳＰ接続情報暗号化応答する（ステップＳ１５）。
【００４１】
ＩＳＰ設定サーバ４３の接続情報制御部４３ａは、暗号化されたＩＳＰ接続情報を、携帯電話網通信部４１ａを経由で携帯電話４１の自動設定制御部４１ｃに返し、ＩＳＰ接続情報取得応答する（ステップＳ１６）。携帯電話４１の自動設定制御部４１ｃは、無線ＬＡＮ通信部４１ｂおよび４２ａを介してブロードバンドルータ４２に暗号化されたＩＳＰ接続情報を送りＩＳＰ接続情報設定を行う（ステップＳ１７）。
【００４２】
次に、ＩＳＰ接続情報を受け取ったブロードバンドルータ４２は、復号部４２ｃで暗号化されたＩＳＰ接続情報を復号し、ＩＳＰ接続管理部４２ｂにＩＳＰ接続情報を設定する。このように、暗号化されたＩＳＰ接続情報をやりとりすることで、上述した第２実施形態のネットワーク通信システム３０と同様に、無線ＬＡＮ通信で接続した携帯電話ユーザ以外の第三者が勝手にブロードバンドルータ４２の設定を変更してしまうことを効果的に防止可能となる。また、携帯電話４１上では、ＩＳＰ接続情報は暗号化された状態であるため、携帯電話４１のユーザはＩＳＰ接続情報の内容を知ることはできないため、携帯電話４１のユーザがＩＳＰ接続情報を他のブロードバンドルータ４２に漏洩させることはできない仕組みとなっている。
【００４３】
以上、本発明によるネットワーク通信システムおよびその設定方法の幾つかの実施形態について詳述した。しかし、斯かる実施形態は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【００４４】
本発明によるネットワーク通信システムおよびその設定方法は、無線ＬＡＮ通信が可能な携帯電話でブロードバンドルータのＩＳＰ接続情報の設定をするといった用途に好適である。特に、固定モバイル連携（Fixed Mobile Convergence：ＦＭＣ）で、家庭内から携帯電話の無線ＬＡＮ経由で通話するといった用途にも適用できる。
【図面の簡単な説明】
【００４５】
【図１】本発明によるネットワーク通信システムの第１実施形態のシステム構成図である。
【図２】本発明のネットワーク通信システムの動作を説明するためのシーケンス図である。
【図３】本発明によるネットワーク通信システムの第２実施形態のシステム構成図である。
【図４】本発明によるネットワーク通信システムの第３実施形態のシステム構成図である。
【図５】図４に示すネットワーク通信システムの動作を説明するためのシーケンス図である。
【符号の説明】
【００４６】
１０、３０、４０  ネットワーク通信システム
１１、３１、４１  携帯電話
１２、３２、４２  ブロードバンドルータ
１３、３３、４３  ＩＳＰ設定サーバ
１４、３４、４４  ブロードバンドルータ管理サーバ
１１ａ、３１ａ、４１ａ  携帯電話網通信部
１１ｂ、１２ａ、３１ｂ、３２ａ、４１ｂ、４２ａ  無線ＬＡＮ通信部
１１ｃ、３１ｃ、４１ｃ  自動設定制御部
１２ｂ、３２ｂ、４２ｂ  ＩＳＰ接続管理部
１３ａ、３３ａ、４３ａ  接続情報制御部
１４ａ、３４ａ、４４ａ  設定方法管理部
３２ｃ  権利情報検証部
３４ｂ  権利情報管理部
４２ｃ  復号部
４４ｂ  暗号化部
【図１】
2007243365.tif 000003
【図２】
2007243365.tif 000004
【図３】
2007243365.tif 000005
【図４】
2007243365.tif 000006
【図５】
2007243365.tif 000007